(57)【要約】【課題】排水システム中に貯留部を備えたサイフォン排水システムの改良を提供するもので、貯留部のスペックを落としたが貯留部内に流入する水を制御し、水が通気管に溢れることなくサイフォンの発生をもたらすことを目的とした。【解決手段】水廻り器具と、これに接続された貯留部と、更にこれに接続されたサイフォン排水管とを備え、サイフォン排水管が水頭差をもった排水システムであり、貯留部に通気管を設置すると共に、水廻り器具と貯留部とを接続する排水導管の先端を通気管の先端よりも貯留部内に差し込んでなる貯留部を備えた排水システムであり、好ましくは、排水導管の先端に流入量制御手段を備えたシステムである。１４ａ‥サイフォン排水管、１５‥貯留部、２０‥通気管、２１‥排水導管、２１ａ‥排水導管の先端。【選択図】図４
2008127963.tif 000002
【特許請求の範囲】
【請求項１】
水廻り器具と、これに接続された貯留部と、更にこれに接続されたサイフォン排水管とを備え、サイフォン排水管が水頭差をもってた排水システムであり、貯留部に通気管を設置すると共に、水廻り器具と貯留部とを接続する排水導管の先端に流入量制御手段を備えたことを特徴とする貯留部を備えたサイフォン排水システム。
【請求項２】
前記排水導管の先端を貯留部内に差し込んでなる請求項１記載の貯留部を備えたサイフォン排水システム。
【請求項３】
流入量制御手段として、排水導管の先端にフロ−トを備えて流量の調整を可能とした請求項１又は２記載の貯留部を備えたサイフォン排水システム。
【請求項４】
流入量制御手段として、排水導管の先端にフラップを備えて流量の調整を可能とした請求項１又は２記載貯留部を備えたサイフォン排水システム。
【請求項５】
排水導管の先端を貯留部内に差し込み、通気管の先端よりも下方に位置させた請求項１乃至４いずれか１記載の貯留部を備えたサイフォン排水システム。
【発明の詳細な説明】
【技術分野】
【０００１】
本発明はサイフォン排水システムの改良に関するものであり、貯留部を備えたサイフォン排水システムの改良にかかるものである。
【背景技術】
【０００２】
集合住宅や戸建て住宅においての排水システムは、水廻り機器からの排水はいわゆる勾配排水システムが採用されている。このため、住戸のフロア面がその分高くなり、逆に言えば、排水立て管から遠い位置に水廻り機器を配置することが難しかったという欠点があった。
【０００３】
図１は従来の勾配排水システムの例を示すが、複数の水廻り機器２ａ、２ｂの排水を考えると、各水廻り機器のトラップ３ａ、３ｂに勾配を付けたを排水管４ａ、４ｂを接続し、これを合流して一本の排水管４ｃとし、これらの排水管４ａ、４ｂ、４ｃはスラブＳとフロアＦとの間で排水立て管１に至るまで勾配を付けて敷設されることとなる。
【０００４】
即ち、排水管を狭いスぺ−スで所定の勾配を付けることや接続部位も多いことから、敷設作業性に問題があり、漏水の危険性も多く好ましくない。更に、排水管に勾配を付けることは住戸の縦空間を規制するフロアＦ面がその分高くなってしまうため、居住性の良くない住戸となってしまうことが指摘されている。
【０００５】
近年、サイフォン排水システムが提案されている。かかるサイフォン排水システムは、サイフォン排水管は当該機器のある階のスラブ上に這わせて横引き施工するものであり、合流させる排水立て管付近で落とし込み水頭（Ｈｓ）をもって垂下させるものであった。又、貯留部を備えたサイフォン排水システムにあっても同様であって、貯留部からほぼ横向きにサイフォン排水管を接続させ、そのままスラブ上を這わせて横引き部としていた（特許文献１、２）。
【０００６】
【特許文献１】特開２０００−２９７４４７号公報
【０００７】
【特許文献２】特開２００３−２０１７２７号公報
【０００８】
貯留部を備えたサイフォン排水システムの概要を図２によって述べれば、排水立て管１１と、水廻り器具１２ａと、これに接続された貯留部１５と、更にこれに接続されたサイフォン排水管１４ａとからなり、サイフォン排水管１４ａが水頭差Ｈｓをもって排水立て管１１に接続された排水システムであり、サイフォン排水管１４ａ内の水が満流となって流れ、これが水頭差Ｈｓをもって流れ落ちることから来る吸引力がサイフォン排水管１４ａ内の水に伝わり、この吸引力によってサイフォン排水管１４ａ内の水が流れ落ちるシステムである。１３ａはトラップである。
【０００９】
従来の貯留部を備えたサイフォン排水システムのコンセプトを考えると、第１に、貯留部容量は、サイフォンが起動するまで排水される最大量を貯水できる分の容量を確保すること、第２に、サイフォン排水管の処理能力は、接続された水廻り機器が最大流量で同時排水された場合よりも大きい処理流量を確保し、サイフォン開始後に貯留部内の水位が上昇しないこと、という設計にすることで、溢れさせないようにするものであった。
【００１０】
例えば、サニタリー用の貯留部についていえば、接続される水廻り機器がユニットバス・洗濯機・洗面器なので、第１に貯留部容量は５０Ｌ程度にした。又、夫々の溜め流し最大排水量を考慮して、第２に２０Ａのサイフォン排水管においては、横引き長さが５ｍ程度までであれば３本で配管して設計していた。
【００１１】
このように、従来ではどんな場合でも絶対に溢れ出さないことをコンセプトとして排水システムが設計されていたが、実際の水廻り器具の使用にあっては複数の水廻り器具からの同時の満水の溜め流し排水はあり得ない状態であり、サニタリ−廻りにもキッチン廻りにもかかるコンセプトとしてのシステムはオ−バ−スペックとなっていた。更に、あまりに過度の条件時に対応するように設計することは、逆に通常使うモードの際に上手くサイフォンが発生せずに、詰まりが発生する等が指摘されていた。例えば、普段使用する排水においては、複数本の排水管が常に使われることはなく、たまに排水管に流れ込んだとしても、サイフォンが発生することは更に少ないので管内に詰まりや汚れの原因になることがある。
【発明の開示】
【発明が解決しようとする課題】
【００１２】
本発明は以上のような従来技術に鑑みてなされたものであり、排水システム中に貯留部を備えた例えばサニタリ−やキッチンに適用されるサイフォン排水システムの改良を提供するもので、貯留部のスペックを落としたが貯留部内に流入する水を制御し、水が通気管に溢れることなくサイフォンの発生をもたらすことを目的としたものである。
【課題を解決するための手段】
【００１３】
本発明の要旨は、水廻り器具と、これに接続された貯留部と、更にこれに接続されたサイフォン排水管とを備え、サイフォン排水管が水頭差をもった排水システムであり、貯留部に通気管を設置すると共に、水廻り器具と貯留部とを接続する排水導管の先端を通気管の先端よりも貯留部内に差し込んでなる貯留部を備えた排水システムであり、好ましくは、排水導管の先端に流入量制御手段を備えたサイフォン排水システムである。
【発明の効果】
【００１４】
請求項１に記載の発明は、貯留部を備えたサイフォン排水システムにおいて、排水導管の先端に貯留部内に流入する水の流入量を制御する手段を備えて貯留部内に流入する水の流入量を制限できるようにし、請求項２によって排水導管の先端を貯留部内部に差し込んで接続することにより、貯留部容量が小さくても通気管に排水が流入し難い構造とすることができたものである。
【発明を実施するための最良の形態】
【００１５】
本発明は請求項１又は２に記載した技術によって部内に内に過剰な排水をされても、サイフォン開始前に貯留部から溢れてくることもなく、又、サイフォン開始後にも貯留部から溢れてくることのない設計が可能となったもので、サニタリ−やキッチン用の貯留部において、排水導管の先端を貯留部内部に貫通させるように接続されることにより、貯留部容量が小さくても通気管に排水が流入し難い構造とするものである。
【００１６】
言い換えれば、使用される貯留部容量は、サイフォンが起動するまで排水される最大量を貯水できる分の容量を確保するが、溜め流し時におけるサイフォンが起動する前の貯留部への流入量をやや小さくして、サイフォン排水管の処理能力とほぼ同等として設置される貯留部及び配管のオ−バ−スペックを避けたものである。
【００１７】
貯留部内に排水が流入すると、サイフォン開始前は貯留部内の水位が上がってくるが、その水位が排水導管の先端に達する前にサイフォン起動が起こればよいが、サイフォン起動が未だであれば排水導管の先端は水中に没することになる。しかるに、水中に没した排水導管の先端から流れ込む水は先端の周囲の水の抵抗により排水の流入が遅れ、通常の流入時との間でタイムラグを生ずることとなる。このタイムラグの間にサイフォン起動を生じさせようとするものであって、タイムラグ中は水廻り器具からの排水の早さは若干劣ることとなるが、使用者には全く関知することなく行われるものとなる。
【００１８】
請求項２にあっては、更に排水導管の先端に流入量制御手段を備えたことによって更に排水量やサイフォン起動を制御することが可能となったものであり、先端にフロ−トを着けて流量を制御したり、フラップ等を備えて流量の調整を可能としたものである。
【実施例】
【００１９】
以下、本発明を最も効果的なキッチンに適用した例をもって更に説明する。図３は従来の貯留部方式のサイフォン排水システムを示す図である。符号は図２に示すものと同様である。通気管２０は貯留部１５内に立設させ、貯留部１５の頂部にその先端が開口している例であり、排水導管２１の先端２１ａは貯留部１５の頂部に設置してある例である。
【００２０】
図３（ａ）は水廻り機器１２ａから排水が開始された直後の図であり、貯留部１５内の水位が徐々に高くなってゆく。そして、サイフォン起動の準備が開始されない場合には水位は更に上昇し、図３（ｂ）のように水位は通気管２０の先端より高くなり、通気管２０内に排水が入り込んでしまう。その後、サイフォン起動があっても、通気管２０内の水はほとんど排水されることはなく、そのまま留まってしまい、管内の汚れや通気の妨げとなる付着物が生じてしまう。サイフォン起動がこれよりも遅くなってしまうと、貯留部より漏水が生じるということともなってしまう。
【００２１】
図４は本発明の貯留部を備えたサイフォン排水システムを示す図である。この例では、排水導管２１の先端２１ａは貯留部１５の頂部より貯留部１５内に垂下した例で、通気管２０の先端よりも下方に位置させた例である。
【００２２】
図４（ａ）は水廻り機器１２ａから排水が開始された直後の図であり、貯留部１５内の水位が徐々に高くなってゆく。この間、サイフォン起動の準備は開始されなければ水位は更に上昇し、図３（ｂ）のように排水導管２１の先端２１ａと同じ水位或いはこれを越える水位となる。ここに至って、水位の上昇は鈍り、水位が更に高くなる場合でも、その水位の上昇の程度はこの水位の上昇に伴って更に鈍くなる。そして、この間にサイフォン起動が生じ、サイフォン排水管１４ａより排水が行われ、通気管２０内には水が入り込むことがない。
【００２３】
尚、図示はしないが、排水導管２１の先端２１ａには、フロ−トを備え、水位によりフロ−トを上下させ、これによって水廻り機器からの水の流入がある程度制御されることとなり、これによって水廻り機器からの排水がやや遅れるが、その間にサイフォン起動がかかり、排水が完結するもので、排水がやや遅れることは使用者にはほとんど気づかない程度の遅れである。
【００２４】
ここで、具体的な排水にそって更に説明すると、通常の状態での実測値で、キッチンから貯留部１５への流入量Ａは溜め流しが行われた際で最大１．３Ｌ／秒である。そして、貯留部１５からのサイフォン排水による排水量はサイフォン排水管１４ａが２０Ａ１本だと０．７５Ｌ／秒（ａ）、２５Ａ１本だと１．２Ｌ／秒（ｂ）、２０Ａ２本だと１．５Ｌ／秒（ｃ）である。（ａ）は完全に処理不足であり、（ｂ）はわずかに不足し、（ｃ）は完全にオ−バ−スペックである。本発明を言ってみれば、サイフォン開始までに排水される量は貯留するが、サイフォン排水後は流入量を制限することで、（ｂ）で排水することによって、オ−バ−スペックを解消しようとしたものである。
【００２５】
このように、本発明は貯留部を備えた排水システム全般に適用されるが、最も効果のあるキッチンのサイフォン排水に利用すれば、排水に対してオ−バ−スペックとならずに、支障がなく処理できることとなったもので、使用者に違和感を持たせなくすることが可能となったものである。
【産業上の利用可能性】
【００２６】
本発明は以上の通りであって、貯留部内の水位が排水導管よりも高い水位となった場合には、貯留部内の水圧が排水導管の先端より流入する水を押すことにより、貯留部内への流入量を抑制することができる。そのため、それ以上貯留部内で水位が上がりにくくなり、通気管に水が入りこまないようにしたものであり、貯留部の容量を小さくすることもでき、特にキッチンにおける貯留部を備えたサイフォン排水システムに好適であり、広く利用が可能となったものである。
【図面の簡単な説明】
【００２７】
【図１】図１は従来の勾配排水システムの概念図である。
【図２】図２はサイフォン排水システムの概念図である。
【図３】図３は従前の貯留部を備えたサイフォン排水システムの概念図である。
【図４】図４は本発明の貯留部を備えたサイフォン排水システムの概念図である。
【符号の説明】
【００２８】
１１‥排水立て管、
１２ａ‥水廻り器具、
１３ａ‥トラップ、
１４ａ‥サイフォン排水管、
１５‥貯留部、
２０‥通気管、
２１‥排水導管、
２１ａ‥排水導管の先端、
Ｈｓ‥水頭差。
【図１】
2008127963.tif 000003
【図２】
2008127963.tif 000004
【図３】
2008127963.tif 000005
【図４】
2008127963.tif 000006